(57)【要約】【課題】本発明は、部品点数を抑制できる遊技台を提供することを目的とする。【解決手段】パチンコ機１００は、上部通路部材３０２が固定されて上部壁部３００を有する内枠１０４と、内枠１０４に対して配置される球タンク１５０と、内枠１０４に対して移動自在に配置される電源コード１８８と、内枠１０４と球タンク１５０との相対位置を決めるとともに、電源コード１８８の移動を規制する突出部４００ａ〜４００ｃ及び孔部５００ａ〜５００ｃとを有するように構成する。【選択図】図８
2011010906.tif 000002
【特許請求の範囲】
【請求項１】
第１遊技部材と、
前記第１遊技部材に対して配置される第２遊技部材と、
前記第１遊技部材に対して移動自在に配置される第３遊技部材と、
前記第１遊技部材と前記第２遊技部材との相対位置を決めるとともに、前記第３遊技部材の移動を規制する位置決め部と
を有することを特徴とする遊技台。
【請求項２】
請求項１記載の遊技台であって、
前記位置決め部は、
前記第１遊技部材に設けられた第１の位置決め部と、
前記第２遊技部材に設けられた第２の位置決め部と
を有し、
前記第１の位置決め部と前記第２の位置決め部の一方が他方の移動を規制することで前記第１遊技部材と前記第２遊技部材が位置決め状態になること
を特徴とする遊技台。
【請求項３】
請求項２記載の遊技台であって、
前記第１遊技部材と前記第２遊技部材が前記位置決め状態である場合に、
前記第２の位置決め部と前記第１遊技部材とで前記第３遊技部材を挟持すること
を特徴とする遊技台。
【請求項４】
請求項３記載の遊技台であって、
前記第１遊技部材に前記第２遊技部材を所定の方向から締結する締結部材を有し、
前記第２の位置決め部と前記第１遊技部材とで前記第３遊技部材を挟持している場合に、前記締結部材で前記第１遊技部材に前記第２遊技部材を締結すると、
前記第２の位置決め部材と前記第１遊技部材と前記第３遊技部材とは前記所定の方向に隙間なく並んで配置されること
を特徴とする遊技台。
【請求項５】
請求項４記載の遊技台であって、
前記第１の位置決め部は孔部を有し、
前記第２の位置決め部は突出部を有し、
前記突出部を前記孔部に挿通することで、前記第１の位置決め部および前記第２の位置決め部の一方が他方の移動を規制して仮位置決めされ、
前記突出部に設けられ、前記孔部から突出する規制部と、前記規制部に対向する前記第１遊技部材の対向部とで前記第３遊技部材を挟持すること
を特徴とする遊技台。
【請求項６】
請求項５記載の遊技台であって、
前記第２の位置決め部は、
断面がＬ字状であること
を特徴とする遊技台。
【発明の詳細な説明】
【技術分野】
【０００１】
本発明は、パチンコ機等に代表される遊技台に関する。
【背景技術】
【０００２】
従来から知られている遊技台は、多数の部品によって構成されている（例えば、特許文献１参照）。
【発明の概要】
【発明が解決しようとする課題】
【０００３】
しかし、遊技台のスペースは限られており、部品点数が多いと遊技台のスペースを無駄に消費してしまうという問題があった。
【０００４】
本発明の目的は、部品点数を抑制できる遊技台を提供することにある。
【課題を解決するための手段】
【０００５】
上記目的は、第１遊技部材と、前記第１遊技部材に対して配置される第２遊技部材と、前記第１遊技部材に対して移動自在に配置される第３遊技部材と、前記第１遊技部材と前記第２遊技部材との相対位置を決めるとともに、前記第３遊技部材の移動を規制する位置決め部とを有することを特徴とする遊技台によって達成される。
【発明の効果】
【０００６】
本発明によれば、部品点数を抑制できる。
【図面の簡単な説明】
【０００７】
【図１】本発明の一実施の形態によるパチンコ機１００を正面側（遊技者側）から見た外観斜視図である。
【図２】本発明の一実施の形態によるパチンコ機１００を背面側から見た外観図である。
【図３】本発明の一実施の形態によるパチンコ機１００の遊技盤１０２を正面から見た略示正面図である。
【図４】本発明の一実施の形態によるパチンコ機１００を背面側から見た斜視図であり、特に、内枠１０４、上部通路部材３０２、及び球タンク１５０の配置関係を示す図である。
【図５】本発明の一実施の形態によるパチンコ機１００を背面側から見た斜視図であり、特に、内枠１０４、上部通路部材３０２、及び球タンク１５０の配置関係を示す図である。
【図６】本発明の一実施の形態によるパチンコ機１００を背面側から見た斜視図であり、特に、内枠１０４、上部通路部材３０２、球タンク１５０、電源コード用通路部材３０４、及び電源コード１８８の配置関係を示す図である。
【図７】本発明の一実施の形態によるパチンコ機１００を背面側から見た図であり、特に、内枠１０４、上部通路部材３０２、球タンク１５０、電源コード用通路部材３０４、及び電源コード１８８の配置関係を示す図である。
【図８】本発明の一実施の形態によるパチンコ機１００の球タンク１５０と上部通路部材３０２との位置関係を示す図であり、（ａ）は、球タンク１５０と上部通路部材３０２との位置関係を示す部分拡大斜視図であり、（ｂ）は、（ａ）のＡ−Ａ断面をＢ方向に見た断面図である。
【図９】本発明の一実施の形態の変形例によるパチンコ機１００の球タンク１５０と上部通路部材３０２との位置関係を示す図であり、（ａ）は、球タンク１５０と上部通路部材３０２との位置関係を示す部分拡大斜視図であり、（ｂ）は、（ａ）のＡ−Ａ断面をＢ方向に見た断面図である。
【発明を実施するための形態】
【０００８】
以下、図面を用いて、本発明の一実施の形態に係る遊技台（例えば、パチンコ機１００等の弾球遊技機やスロット機等の回胴遊技機）について詳細に説明する。まず、図１を用いて、本発明の実施形態に係るパチンコ機１００の全体構成について説明する。なお、同図はパチンコ機１００を正面側（遊技者側）から見た外観斜視図である。パチンコ機１００は、外部的構造として、外枠１０２と、本体（内枠）１０４と、前面枠扉１０６と、球貯留皿付扉１０８と、発射装置１１０と、遊技盤２００と、をその前面に備える。外枠１０２は、遊技機設置営業店に設けられた設置場所（島設備等）へと固定させるための縦長方形状から成る木製の枠部材である。
【０００９】
本体１０４は、外枠１０２の内部に備えられ、ヒンジ部１１２を介して外枠１０２に回動自在に装着された縦長方形状の遊技機基軸体となる部材である。また、本体１０４は、枠状に形成され、内側に空間部１１４を有している。
【００１０】
前面枠扉１０６は、ロック機能付きで且つ開閉自在となるようにパチンコ機１００の前面側となる本体１０４の前面に対しヒンジ部１１２を介して装着され、枠状に構成されることでその内側を開口部とした扉部材である。なお、この前面枠扉１０６には、開口部にガラス製又は樹脂製の透明板部材１１８が設けられ、前面側には、スピーカ１２０や枠ランプ１２２が取り付けられている。前面枠扉１０６の後面と遊技盤２００の前面とで遊技領域１２４を区画形成する。
【００１１】
球貯留皿付扉１０８は、パチンコ機１００の前面において本体１０４の下側に対して、ロック機能付きで且つ開閉自在となるように装着された扉部材である。球貯留皿付扉１０８は、複数の遊技球（以下、単に「球」と称する場合がある）が貯留可能で且つ発射装置１１０へと遊技球を案内させる通路が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、遊技者の操作によって各種演出装置２０６の演出態様に変化を与えるチャンスボタン１３６と、チャンスボタン１３６を発光させるチャンスボタンランプ１３８と、遊技店に設置されたカードユニット（ＣＲユニット）に対して球貸し指示を行う球貸操作ボタン１４０と、カードユニットに対して遊技者の残高の返却指示を行う返却操作ボタン１４２と、遊技者の残高やカードユニットの状態を表示する球貸表示部１４４と、を備える。
【００１２】
発射装置１１０は、本体１０４の下方に取り付けられ、球発射ハンドル１３４が遊技者に操作されることによって回動する発射杆１４６と、遊技球を発射杆１４６の先端で打突する発射槌１４８と、を備える。
【００１３】
遊技盤２００は、前面に遊技領域１２４を有し、本体１０４の空間部１１４に臨むように、所定の固定部材を用いて本体１０４に着脱自在に装着されている。なお、遊技領域１２４は、遊技盤２００を本体１０４に装着した後、開口部から観察することができる。
【００１４】
図２は、図１のパチンコ機１００を背面側から見た外観図である。パチンコ機１００の背面上部には、上方に開口した開口部を有し、遊技球を一時的に貯留するための球タンク１５０と、この球タンク１５０の下方に位置し、球タンク１５０の底部に形成した連通孔を通過して落下する球を背面右側に位置する払出装置１５２に導くためのタンクレール１５４とを配設している。
【００１５】
払出装置１５２は、筒状の部材からなり、その内部には、不図示の払出モータとスプロケットと払出センサとを備えている。スプロケットは、払出モータによって回転可能に構成されており、タンクレール１５４を通過して払出装置１５２内に流下した遊技球を一時的に滞留させると共に、払出モータを駆動して所定角度だけ回転することにより、一時的に滞留した遊技球を払出装置１５２の下方へ１個ずつ送り出すように構成している。
【００１６】
払出センサは、スプロケットが送り出した遊技球の通過を検知するためのセンサであり、遊技球が通過しているときにハイまたはローの何れか一方の信号を、遊技球が通過していないときはハイまたはローの何れか他方の信号を払出制御部へ出力する。なお、この払出センサを通過した遊技球は、不図示の球レールを通過してパチンコ機１００の表側に配設した上皿１２６に到達するように構成しており、パチンコ機１００は、この構成により遊技者に対して球の払い出しを行う。
【００１７】
払出装置１５２の図中左側には、遊技全般の制御処理を行う主制御部を構成する主基板１５６を収納する主基板ケース１５８、主制御部が生成した処理情報に基づいて演出に関する制御処理を行う第１副制御部を構成する第１副基板１６０を収納する第１副基板ケース１６２、第１副制御部が生成した処理情報に基づいて演出に関する制御処理を行う第２副制御部を構成する第２副基板１６４を収納する第２副基板ケース１６６、遊技球の払出に関する制御処理を行う払出制御部を構成するとともに遊技店員の操作によってエラーを解除するエラー解除スイッチ１６８を備える払出基板１７０を収納する払出基板ケース１７２、遊技球の発射に関する制御処理を行う発射制御部を構成する発射基板１７４を収納する発射基板ケース１７６、各種電気的遊技機器に電源を供給する電源管理部を構成するとともに遊技店員の操作によって電源をオンオフする電源スイッチ１７８と電源投入時に操作されることによってＲＷＭクリア信号を主制御部に出力するＲＷＭクリアスイッチ１８０とを備える電源基板１８２を収納する電源基板ケース１８４、および払出制御部とカードユニットとの信号の送受信を行うＣＲインターフェース部１８６を配設している。
【００１８】
球タンク１５０とタンクレール１５４、及び払出装置１５２は、パチンコ機１００背面の右上角部で屈曲して逆Ｌ字状に形成された上部通路部材３０２に固定されている。球タンク１５０は、締付ネジ３０６、３０８で上部通路部材３０２に締結されている。上部通路部材３０２は、複数の締結手段により内枠１０４に固定されている。内枠１０４の左側部には縦方向に延びる電源コード用通路部材３０４が固定されている。電源コード（ハーネス）１８８は、電源コネクタ１９０と接続されて、電源コード用通路部材３０４の下端から内部空間に案内されて上端に引き出され、さらに、球タンク１５０の左側の締付ネジ３０６下方の開口から内枠１０４の上部壁部３００上の球タンク１５０の長手方向に沿う空間内に案内されて球タンク１５０の右側の締付ネジ３０８の下方から引き出されている。電源コネクタ１９０にはアース線１８９も接続されている。アース線１８９の他端はパチンコ機１００本体を介して接地されるようになっている。
【００１９】
図３は、遊技盤２００を正面から見た略示正面図である。遊技盤２００には、外レール２０２と内レール２０４とを配設し、遊技球が転動可能な遊技領域１２４を区画形成している。遊技領域１２４の略中央には、演出装置２０６を配設している。この演出装置２０６には、略中央に装飾図柄表示装置２０８を配設し、その周囲に、普通図柄表示装置２１０と、第１特別図柄表示装置２１２と、第２特別図柄表示装置２１４と、普通図柄保留ランプ２１６と、第１特別図柄保留ランプ２１８と、第２特別図柄保留ランプ２２０と、高確中ランプ２２２を配設している。なお、以下、普通図柄を「普図」、特別図柄を「特図」と称する場合がある。演出装置２０６は、演出可動体２２４を動作して演出を行うものである。
【００２０】
装飾図柄表示装置２０８は、装飾図柄ならびに演出に用いる様々な表示を行うための表示装置であり、本実施例では液晶表示装置（Ｌｉｑｕｉｄ  Ｃｒｙｓｔａｌ  Ｄｉｓｐｌａｙ）によって構成する。この装飾図柄表示装置２０８は、左図柄表示領域２０８ａ、中図柄表示領域２０８ｂ、右図柄表示領域２０８ｃおよび演出表示領域２０８ｄの４つの表示領域に分割し、左図柄表示領域２０８ａ、中図柄表示領域２０８ｂおよび右図柄表示領域２０８ｃはそれぞれ異なった装飾図柄を表示し、演出表示領域２０８ｄは演出に用いる画像を表示する。さらに、各表示領域２０８ａ、２０８ｂ、２０８ｃ、２０８ｄの位置や大きさは、装飾図柄表示装置２０８の表示画面内で自由に変更することを可能としている。なお、装飾図柄表示装置２０８として液晶表示装置を採用しているが、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００２１】
普図表示装置２１０は、普図の表示を行うための表示装置であり、本実施例では７セグメントＬＥＤによって構成する。第１特図表示装置２１２および第２特図表示装置２１４は、特図の表示を行うための表示装置であり、本実施例では７セグメントＬＥＤによって構成する。
【００２２】
普図保留ランプ２１６は、保留している普図変動遊技の数を示すためのランプであり、本実施例では、普図変動遊技を所定数（例えば、２つ）まで保留することを可能としている。第１特図保留ランプ２１８および第２特図保留ランプ２２０は、保留している特図変動遊技の数を示すためのランプであり、本実施例では、特図変動遊技をそれぞれ所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。
【００２３】
また、この演出装置２０６の周囲には、一般入賞口２２６と、普図始動口２２８と、第１特図始動口２３０と、第２特図始動口２３２と、可変入賞口２３４を配設している。
【００２４】
一般入賞口２２６は、本実施例では遊技盤２００に複数配設しており、この一般入賞口２２６への入球を所定の球検出センサ（図示省略）が検出した場合（一般入賞口２２６に入賞した場合）、払出装置１５２を駆動し、所定の個数（例えば、１０個）の球を賞球として上皿１２６に排出する。上皿１２６に排出した球は遊技者が自由に取り出すことが可能であり、これらの構成により、入賞に基づいて賞球を遊技者に払い出すようにしている。なお、一般入賞口２２６に入球した球は、パチンコ機１００の裏側に誘導した後、遊技島側に排出する。本実施例では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００２５】
普図始動口２２８は、ゲートやスルーチャッカーと呼ばれる、遊技領域１２４の所定の領域を球が通過したか否かを判定するための装置で構成しており、本実施例では遊技盤２００の左側に１つ配設している。普図始動口２２８を通過した球は一般入賞口２２６に入球した球と違って、遊技島側に排出することはない。球が普図始動口２２８を通過したことを所定の球検出センサが検出した場合、パチンコ機１００は、普図表示装置２１０による普図変動遊技を開始する。
【００２６】
第１特図始動口２３０は、本実施例では遊技盤２００の中央に１つだけ配設している。この第１特図始動口２３０への入球を所定の球検出センサが検出した場合、後述する払出装置１５２を駆動し、所定の個数（例えば、３個）の球を賞球として上皿１２６に排出するとともに、第１特図表示装置２１２による特図変動遊技を開始する。なお、第１特図始動口２３０に入球した球は、パチンコ機１００の裏側に誘導した後、遊技島側に排出する。
【００２７】
第２特図始動口２３２は、電動チューリップ（電チュー）と呼ばれ、本実施例では第１特図始動口２３０の真下に１つだけ配設している。この第２特図始動口２３２は、左右に開閉自在な羽根を備え、羽根の閉鎖中は球の入球が不可能であり、普図変動遊技に当選し、普図表示装置が当り図柄を停止表示した場合に羽根が所定の時間間隔、所定の回数で開閉する。第２特図始動口２３２への入球を所定の球検出センサが検出した場合、払出装置１５２を駆動し、所定の個数（例えば、４個）の球を賞球として上皿１２６に排出するとともに、第２特図表示装置２１４による特図変動遊技を開始する。なお、第２特図始動口２３２に入球した球は、パチンコ機１００の裏側に誘導した後、遊技島側に排出する。
【００２８】
可変入賞口２３４は、大入賞口またはアタッカーと呼ばれ、本実施例では遊技盤２００の中央部下方に１つだけ配設している。この可変入賞口２３４は、開閉自在な扉部材を備え、扉部材の閉鎖中は球の入球が不可能であり、特図変動遊技に当選して特図表示装置２１２、２１４が大当り図柄を停止表示した場合に扉部材が所定の時間間隔（例えば、開放時間２９秒、閉鎖時間１．５秒）、所定の回数（例えば１５回）で開閉する。可変入賞口２３４への入球を所定の球検出センサが検出した場合、払出装置１５２を駆動し、所定の個数（例えば、１５個）の球を賞球として上皿１２６に排出する。なお、可変入賞口２３４に入球した球は、パチンコ機１００の裏側に誘導した後、遊技島側に排出する。
【００２９】
さらに、これらの入賞口や始動口の近傍には、風車と呼ばれる円盤状の打球方向変換部材２３６や、遊技釘２３８を複数個、配設していると共に、内レール２０４の最下部には、いずれの入賞口や始動口にも入賞しなかった球をパチンコ機１００の裏側に誘導した後、遊技島側に排出するためのアウト口２４０を設けている。
【００３０】
このパチンコ機１００は、遊技者が上皿１２６に貯留している球を発射レールの発射位置に供給し、遊技者の操作ハンドルの操作量に応じた強度で発射モータを駆動し、発射杆１４６および発射槌１４８によって外レール２０２、内レール２０４を通過させて遊技領域１２４に打ち出す。そして、遊技領域１２４の上部に到達した球は、打球方向変換部材２３６や遊技釘２３８等によって進行方向を変えながら下方に落下し、入賞口（一般入賞口２２６、可変入賞口２３４）や始動口（第１特図始動口２３０、第２特図始動口２３２）に入賞するか、いずれの入賞口や始動口にも入賞することなく、または普図始動口２２８を通過するのみでアウト口１３６に到達する。
【００３１】
次に、パチンコ機１００の演出装置２０６について説明する。
この演出装置２０６の前面側には、遊技球の転動可能な領域にワープ装置２４２およびステージ２４４を配設し、遊技球の転動不可能な領域に演出可動体２２４を配設している。また、演出装置２０６の背面側には、装飾図柄表示装置２０８および遮蔽装置２４６（以下、扉と称する場合がある）を配設している。すなわち、演出装置２０６において、装飾図柄表示装置２０８および遮蔽装置２４６は、ワープ装置２４２、ステージ２４４、および演出可動体２２４の後方に位置することとなる。
【００３２】
ワープ装置２４２は、演出装置２０６の左上方に設けたワープ入口２４２ａに入った遊技球を演出装置２０６の前面下方のステージ２４４にワープ出口２４２ｂから排出する。
【００３３】
ステージ２４４は、ワープ出口２４２ｂから排出された球や遊技盤２００の釘などによって乗り上げた球などが転動可能であり、ステージ２４４の中央部には、通過した球が第１特図始動口２３０へ入球し易くなるスペシャルルート２４４ａを設けている。
【００３４】
演出可動体２２４は、本実施形態では人間の右腕の上腕と前腕を模した上腕部２２４ａと前腕部２２４ｂとからなり、肩の位置に上腕部２２４ａを回動させる不図示の上腕モータと肘の位置に前腕部２２４ｂを回動させる不図示の前腕モータを備える。演出可動体２２４は、上腕モータと前腕モータによって装飾図柄表示装置２０８の前方を移動する。
【００３５】
遮蔽装置２４６は、格子状の左扉２４６ａおよび右扉２４６ｂからなり、装飾図柄表示装置２０８および前面ステージ２４４の間に配設する。左扉２４６ａおよび右扉２４６ｂの上部には、不図示の２つのプーリに巻き回したベルトをそれぞれ固定している。すなわち、左扉２４６ａおよび右扉２４６ｂは、モータによりプーリを介して駆動するベルトの動作に伴って左右にそれぞれ移動する。遮蔽装置２４６は、左扉２４６ａおよび右扉２４６ｂを閉じた状態ではそれぞれの内側端部が重なり、遊技者が装飾図柄表示装置２０８を視認し難いように遮蔽する。左扉２４６ａおよび右扉２４６ｂを開いた状態ではそれぞれの内側端部が装飾図柄表示装置２０８の表示画面の外側端部と若干重なるが、遊技者は装飾図柄表示装置２０８の表示の全てを視認可能である。また、左扉２４６ａおよび右扉２４６ｂは、それぞれ任意の位置で停止可能であり、例えば、表示した装飾図柄がどの装飾図柄であるかを遊技者が識別可能な程度に、装飾図柄の一部だけを遮蔽するようなことができる。なお、左扉２４６ａおよび右扉２４６ｂは、格子の孔から後方の装飾図柄表示装置２０８の一部を視認可能にしてもよいし、格子の孔の障子部分を半透明のレンズ体で塞ぎ、後方の装飾図柄表示装置２０８による表示を漠然と遊技者に視認させるようにしてもよいし、格子の孔の障子部分を完全に塞ぎ（遮蔽し）、後方の装飾図柄表示装置２０８を全く視認不可にしてもよい。
【００３６】
次に、図４乃至図９を用いて本実施の形態によるパチンコ機１００において、上部通路部材３０２が固定された内枠１０４（第１遊技部材）と球タンク１５０（第２遊技部材）の位置決め、及び電源コード１８８（第３遊技部材）の移動の規制機構について説明する。図４は、本実施の形態によるパチンコ機１００の内枠１０４、上部通路部材３０２、及び球タンク１５０を背面側から見た斜視図である。図４では、図２に示した構成から、外枠１０２、払出装置１５２、タンクレール１５４、主基板１５６及び主基板ケース１５８、第１副基板１６０及び第１副基板ケース１６２、第２副基板１６４及び第２副基板ケース１６６、払出基板１７０及び払出基板ケース１７２、発射基板１７４及び発射基板ケース１７６、電源基板１８２及び電源基板ケース１８４、ＣＲインターフェース部１８６、電源コード１８８、及び電源コード用通路部材３０４を取り外した状態を示している。また、図４では、球タンク１５０を分離して上部通路部材３０２の上方に平行移動させた状態を示している。
【００３７】
図５は、図４と同様に、内枠１０４、上部通路部材３０２、及び球タンク１５０の配置関係を示しているが、上部通路部材３０２の上方に平行移動させて表示した球タンク１５０をその長手方向を軸とし、当該軸を紙面右上方向に見て約９０度反時計回りに回転させた状態を示している。
【００３８】
まず、球タンク１５０の形状について図４及び図５を用いて説明する。球タンク１５０は上部が開口された細長い箱状をしている。図４に示す球タンク１５０の奥側長手部分が球タンク裏面壁１５０ａ、手前長手部分が球タンク正面壁１５０ｅ、左手前部分が球タンク左側面壁１５０ｂ、右奥部分が球タンク右側面壁１５０ｃ、底部が球タンク底面壁１５０ｄである。
【００３９】
球タンク裏面壁１５０ａ、球タンク左側面壁１５０ｂ、球タンク右側面壁１５０ｃ、及び球タンク正面壁１５０ｅのそれぞれの上端辺は同一平面内にあり、隣接上端辺同士が連結されて球タンク１５０上部の開口端辺を構成している。以下、開口端辺を含む平面を開口面という。球タンク裏面壁１５０ａ、球タンク左側面壁１５０ｂ、球タンク右側面壁１５０ｃ、及び球タンク正面壁１５０ｅは開口面に対し垂直に屹立している。球タンク左側面壁１５０ｂは開口面からの高さが球タンク右側面壁１５０ｃより高く形成されている。このため、開口面を水平面に一致させた場合、球タンク底面壁１５０ｄは、球タンク右側面壁１５０ｃから球タンク左側面壁１５０ｂに向かって下降するように傾斜している。
【００４０】
球タンク左側面壁１５０ｂ上端辺の球タンク裏面壁１５０ａ側端から中程にかけて球タンク１５０上部開口の外側に開口面に平行に突出する突出平面部が形成されている。また、球タンク左側面壁１５０ｂ上端辺中程から下方中程までに当該突出平面部を直角に折り曲げた折り曲げ平面部が形成されている。突出平面部と折り曲げ平面部とで球タンク左突起部３２２が構成される。球タンク左突起部３２２の折り曲げ平面部の所定位置で壁を貫通して締付用孔３１４が開口されている。締付用孔３１４は、図２に示した締付ネジ３０６のネジ部は貫通させるがネジ頭は通過させない径を有している。
【００４１】
球タンク右側面壁１５０ｃ上端辺の球タンク裏面壁１５０ａ側端から所定距離隔てて中程にかけて球タンク１５０上部開口の外側に開口面に平行に突出する突出平面部が形成されている。また、球タンク右側面壁１５０ｃ上端辺中程から下方に当該突出平面部を直角に折り曲げた折り曲げ平面部が形成されている。突出平面部と折り曲げ平面部とで球タンク右突起部３２４が構成される。球タンク右突起部３２４の折り曲げ平面部の所定位置で壁を貫通して締付用孔３１６（図５参照）が開口されている。締付用孔３１６は、図２に示した締付ネジ３０８のネジ部は貫通させるがネジ頭は通過させない径を有している。
【００４２】
次に、球タンク１５０の底部形状について図５を用いて説明する。球タンク１５０の球タンク底面壁１５０ｄの外表面には、６個の板状の突出部４００ａ〜４００ｆが形成されている。また、球タンク１５０に貯留した球をタンクレール１５４に導くための連通孔１５１が開口されている。
【００４３】
突出部４００ａ、４００ｂ、４００ｃ（第２の位置決め部）は、球タンク底面壁１５０ｄの球タンク裏面壁１５０ａ側端辺から球タンク裏面壁１５０ａを延長して一列に突出している。従って、突出部４００ａ、４００ｂ、４００ｃのそれぞれの板状壁面は球タンク裏面壁１５０ａと同一平面内にあり、球タンク１５０の開口面に対し垂直になっている。突出部４００ａは球タンク左側面壁１５０ｂから所定距離隔てた位置に配置され、突出部４００ｃは球タンク右側面壁１５０ｃから所定距離隔てた位置に配置され、突出部４００ｂは、突出部４００ａと突出部４００ｃとの中間位置に配置されている。突出部４００ａ、４００ｂ、４００ｃの板厚は同一である。球タンク１５０の開口面に平行な方向に測った突出部４００ａ、４００ｂ、４００ｃの幅は同一である。また、突出部４００ａ、４００ｂ、４００ｃのそれぞれの突出先端辺は球タンク１５０の開口面と平行に形成されている。突出部４００ａ、４００ｂ、４００ｃのそれぞれのタンク底面壁１５０ｄからの高さについては後述する。
【００４４】
突出部４００ｄ、４００ｅ、４００ｆは、球タンク底面壁１５０ｄのほぼ中央部で球タンク裏面壁１５０ａと平行な方向に一列に突出している。突出部４００ｄ、４００ｅ、４００ｆのそれぞれの板状壁面は突出部４００ａ、４００ｂ、４００ｃの板状壁面と平行であり、球タンク１５０の開口面に対し垂直になっている。突出部４００ｄは球タンク左側面壁１５０ｂから所定距離隔てた位置で突出部４００ａと板状壁面同士を対向させて配置され、突出部４００ｆは球タンク右側面壁１５０ｃから所定距離隔てた位置で突出部４００ｃと板状壁面同士を対向させて配置され、突出部４００ｅは、突出部４００ｄと突出部４００ｆとの中間位置で突出部４００ｂと板状壁面同士を対向させて配置されている。突出部４００ｄ、４００ｅ、４００ｆの板厚は突出部４００ａ、４００ｂ、４００ｃの板厚と同一である。球タンク１５０の開口面に平行な方向に測った突出部４００ｄ、４００ｅ、４００ｆの幅は突出部４００ａ、４００ｂ、４００ｃの幅と同一である。また、突出部４００ｄ、４００ｅ、４００ｆのそれぞれの突出先端辺は球タンク１５０の開口面と平行に形成されている。突出部４００ｄ、４００ｅ、４００ｆのそれぞれのタンク底面壁１５０ｄからの高さは後述する。
【００４５】
次に、内枠１０４について図４及び図５を用いて説明する。内枠１０４は、外枠１０２（図１参照）が組み合わさると外枠１０２の各側面部の外平面とほぼ面一（つらいち）となる外平面を各側面部に有している。内枠１０４の背面側には、外枠１０２を組み合わした際に干渉しないように、内枠１０４の各側面部から所定距離隔てた内方に、所定幅で所定高さを有する枠状の枠状部１０５が形成されている。
【００４６】
枠状部１０５の内方は、前面側の遊技領域１２４に装着された遊技盤２００と背面側の各種電気／電子回路及び機構部品とが接続できるように広く開口しているが、枠状部１０５の上方の上部通路部材３０２で塞がれる領域には、上部通路部材３０２と対面する平面状の上部壁部３００が設けられている。
【００４７】
次に、上部通路部材３０２について図４及び図５を用いて説明する。上部通路部材３０２は、複数の取付ネジ等を用いて枠状部１０５の上横辺及び右縦辺の上面に固定されている。枠状部１０５の上横辺と右縦辺を組み合わせた形状に合わせて、上部通路部材３０２は右上が角部となる逆Ｌ字状になっている。球タンク１５０が載置される上部通路部材３０２上部の球タンク受け部は、図４に示す奥側長手部分の球タンク受け部裏面壁３０２ａ、左手前部分の球タンク受け部左側面壁３０２ｂ、右奥部分の球タンク受け部右側面壁３０２ｃ、底部の球タンク受け部底面壁３０２ｄで構成されている。球タンク受け部正面と上面は開放されている。
【００４８】
上部通路部材３０２上部の球タンク受け部は、パチンコ機１００を設置すると、球タンク１５０の開口面が水平になるように球タンク１５０を締付固定するように設計されている。球タンク１５０を球タンク受け部に載置すると、球タンク受け部裏面壁３０２ａは球タンク裏面壁１５０ａに対面し、球タンク受け部左側面壁３０２ｂは球タンク左側面壁１５０ｂに対面し、球タンク受け部右側面壁３０２ｃは球タンク右側面壁１５０ｃに対面し、球タンク受け部底面壁３０２ｄは球タンク底面壁１５０ｄに対面する。
【００４９】
また、球タンク受け部底面壁３０２ｄには、球タンク１５０を載置すると突出部４００ａ〜４００ｆが差し込まれる細長いスリット状の孔部５００ａ〜５００ｆが開口されている。孔部５００ａ、５００ｂ、５００ｃ（第１の位置決め部）は、球タンク受け部底面壁３０２ｄの球タンク受け部裏面壁３０２ａ側の角部に沿って一列に開口している。孔部５００ｄ、５００ｅ、５００ｆは、球タンク受け部底面壁３０２ｄの球タンク受け部裏面壁３０２ａと反対側の角部に沿って一列に開口している。孔部５００ａ、５００ｄは、球タンク受け部左側面壁３０２ｂの球タンク受け部右側面壁３０２ｃ側の壁面から所定距離隔てた位置に配置されている。孔部５００ｃ、５００ｆは球タンク受け部右側面壁３０２ｃの球タンク受け部左側面壁３０２ｂ側の壁面から所定距離隔てた位置に配置されている。孔部５００ｂは、孔部５００ａと孔部５００ｃとの中間位置に配置され、孔部５００ｅは、孔部５００ｄと孔部５００ｆとの中間位置に配置されている。球タンク１５０を球タンク受け部に載置した状態で球タンク１５０の開口面に平行な方向に測った孔部５００ａ〜５００ｆのスリット長さは同一で、球タンク１５０の開口面に平行な方向の突出部４００ａ〜４００ｆの長さより所定長さだけ長く形成されている。孔部５００ａ〜５００ｆのスリット幅は同一で、球タンク１５０の突出部４００ａ〜４００ｆの厚さより所定長さだけ広く形成されている。
【００５０】
球タンク受け部左側面壁３０２ｂ及び球タンク受け部右側面壁３０２ｃの上部は相対的に幅広の平面になっている。球タンク受け部左側面壁３０２ｂ及び球タンク受け部右側面壁３０２ｃの正面部も相対的に幅広の平面になっており、それぞれの所定位置に球タンク１５０を締付固定するための締付用雌ネジ３１０、３１２が切られている。球タンク１５０を球タンク受け部に載置すると、球タンク左突起部３２２と球タンク右突起部３２４の突出平面部が球タンク受け部左側面壁３０２ｂと球タンク受け部右側面壁３０２ｃの上部幅広平面にそれぞれ乗るようになっている。同時に、球タンク左突起部３２２と球タンク右突起部３２４の折り曲げ平面部の締付用孔３１４と締付用孔３１６が球タンク受け部左側面壁３０２ｂと球タンク受け部右側面壁３０２ｃの正面幅広平面に形成された締付用雌ネジ３１０、３１２のネジ穴にそれぞれ一致するようになっている。
【００５１】
図６は、本実施の形態によるパチンコ機１００の内枠１０４に固定した上部通路部材３０２に球タンク１５０を取り付け、さらに、電源コード用通路部材３０４と電源コード１８８を取り付けた状態を示している。図７は、図６に示す構成を背面側から見た状態を示している。図６及び図７を用いて、球タンク１５０を上部通路部材３０２に取り付けた状態について説明する。図６に示す斜視図において、球タンク１５０を上部通路部材３０２の球タンク受け部に載置すると、球タンク１５０の球タンク左突起部３２２の手前右上凹角部と、球タンク受け部左側面壁３０２ｂの手前右上凸角部とが、球タンク１５０の長手方向に所定範囲の余裕を持って整合し、一方、球タンク右突起部３２４の手前左上凹角部と、球タンク受け部右側面壁３０２ｃの手前左上凸角部とが、球タンク１５０の長手方向に所定範囲の余裕を持って整合する。これら所定範囲の余裕は、球タンク１５０の開口面に平行な方向に測った孔部５００ａ〜５００ｆのスリット長さと突出部４００ａ〜４００ｆの長さの差より若干広く形成されている。
【００５２】
突出部４００ａ〜４００ｆと孔部５００ａ〜５００ｆとが上述のような対応関係で形成されているため、球タンク１５０を上部通路部材３０２の球タンク受け部に載置すると、突出部４００ａ〜４００ｆは孔部５００ａ〜５００ｆに容易に差し込まれると共に、突出部４００ａ〜４００ｆと孔部５００ａ〜５００ｆの一方が他方の移動を規制することになるので上部通路部材３０２を固定した内枠１０４と球タンク１５０を位置決め状態にできる。
【００５３】
本実施の形態によるパチンコ機１００の位置決め部は、内枠１０４（第１遊技部材）に固定された上部通路部材３０２に設けられた孔部５００ａ〜５００ｃ（第１の位置決め部）と、球タンク１５０（第２遊技部材）に設けられた突出部４００ａ〜４００ｃ（第２の位置決め部）とを有し、孔部５００ａ〜５００ｃ（第１の位置決め部）と突出部４００ａ〜４００ｃ（第２の位置決め部）の一方が他方の移動を規制することで内枠１０４（第１遊技部材）と球タンク１５０（第２遊技部材）が位置決め状態になることを特徴とする。
この構成によれば、第１遊技部材と第２遊技部材の位置を確実に決めることができる場合がある。また、第１遊技部材と第２遊技部材とを取り付ける際に一方が他方から脱落してしまうのを防止することができる場合があり、取付作業の軽減効果を奏する場合がある。
【００５４】
図６及び図７に示すように、内枠１０４の枠状部１０５の左側部には縦方向に延びる電源コード用通路部材３０４が固定されている。電源コード用通路部材３０４は、図２に示した電源コネクタ１９０の配置位置近傍に一方の開口端部を有している。また、電源コード用通路部材３０４は、球タンク受け部左側面壁３０２ｂと球タンク受け部底面壁３０２ｄとの角部の下側で球タンク受け部底面壁３０２ｄ裏面側に他方の開口端部を有している。電源コード用通路部材３０４内部は所定の断面積を有するトンネル状の空間となっている。また、枠状部１０５の上部壁部３００と球タンク受け部底面壁３０２ｄの裏面側とで球タンク１５０の長手方向に沿う空間が形成されている。電源コード用通路部材３０４内の空間と球タンク１５０の長手方向に沿う空間は電源コード１８８の敷設用領域として用いられる。
【００５５】
図６に示す一点鎖線Ｐは、電源コード１８８の敷設位置を示している。図６の一点鎖線Ｐに示すように、電源コード１８８は、電源コネクタ１９０の配置領域側の一方の開口端部から電源コード用通路部材３０４のトンネル状空間に案内されて他方の開口端部に引き出され、さらに、球タンク受け部左側面壁３０２ｂと球タンク受け部底面壁３０２ｄとの角部の下側で球タンク受け部底面壁３０２ｄ裏面側に案内され、球タンク１５０の右側の締付用孔３１６より幾分下方から引き出されている。
【００５６】
図８は、本実施の形態によるパチンコ機１００の球タンク１５０と上部通路部材３０２との位置関係を示しており、（ａ）は、図６及び図７の矢印Ｓで示す方向に見たときの球タンク１５０と上部通路部材３０２を含む裏面構造を示す部分拡大斜視図であり、（ｂ）は（ａ）のＡ−Ａ方向に切った断面をＢ方向に見た断面図である。
【００５７】
図８（ａ）は、図下方の左右方向に枠状部１０５の上部壁部３００の遊技領域１２４側の端辺が配置されている状態を示している。上部壁部３００の遊技領域１２４側端辺から所定距離隔てた上部壁部３００の壁面上に上部通路部材３０２の球タンク受け部底面壁３０２ｄが配置されている。図８（ｂ）に示すように、枠状部１０５の上部壁部３００と上部通路部材３０２の球タンク受け部裏面壁３０２ａとは所定間隙を介して対面している。
【００５８】
また、図８（ａ）において、球タンク１５０が上部通路部材３０２に固定されて、球タンク１５０の球タンク正面壁１５０ｅと球タンク底面壁１５０ｄが手前側に示されている。上部壁部３００の遊技領域１２４側端辺からの壁面と上部通路部材３０２の球タンク受け部底面壁３０２ｄの裏面壁面とで作られる角部に、球タンク１５０の長手方向に沿って電源コード敷設用空間が形成されている。
【００５９】
図８（ａ）、（ｂ）に示すように、球タンク受け部底面壁３０２ｄに開口した孔部５００ａ〜５００ｆのそれぞれから球タンク１５０の突出部４００ａ〜４００ｆが突出している。電源コード敷設用空間には、孔部５００ａ、５００ｂ、５００ｃから、突出部４００ａ、４００ｂ、４００ｃがそれぞれ突出している。図８（ａ）では、電源コード敷設用空間のうち孔部５００ａ、５００ｂから、突出部４００ａ、４００ｂがそれぞれ突出している部分を示している。
【００６０】
突出部４００ａ〜４００ｃは、孔部５００ａ〜５００ｃと協働して内枠１０４と球タンク１５０との相対位置を決めるだけでなく、内枠１０４に対して移動自在に配置される電源コード１８８の移動を規制する移動規制部材としても機能する。このため、突出部４００ａ〜４００ｃには、電源コード１８８が十分当接できる広さの壁面領域の規制部４０２ａ〜４０２ｃがそれぞれ設けられている。図８（ａ）、（ｂ）に示すように、上部通路部材３０２の球タンク受け部に球タンク１５０が載置されると、孔部５００ａ〜５００ｃから突出部４００ａ〜４００ｃの規制部４０２ａ〜４０２ｃが電源コード敷設用空間に突出する。電源コード敷設用空間で規制部４０２ａ〜４０２ｃと上部壁部３００との間に電源コード１８８を配置すると、規制部４０２ａ〜４０２ｃの壁面により上部壁部３００から遠ざかる方向への電源コード１８８の移動を規制することができる。
【００６１】
突出部４００ｄ〜４００ｆのそれぞれのタンク底面壁１５０ｄからの高さは、球タンク１５０を上部通路部材３０２に載置したときに、上部通路部材３０２に設けられた孔部５００ｄ〜５００ｆとで内枠１０４と球タンク１５０との相対位置を決めることができる高さであればよい。つまり、突出部４００ｄ〜４００ｆの高さは、球タンク受け部底面壁３０２ｄの孔部５００ｄ〜５００ｆから突出部４００ｄ〜４００ｆの突出先端辺が現れる程度であれば十分である。
【００６２】
これに対し、突出部４００ａ〜４００ｃは、球タンク１５０を上部通路部材３０２に載置したときに、上部通路部材３０２に設けられた孔部５００ａ〜５００ｃとで内枠１０４と球タンク１５０との相対位置を決めるだけでなく、内枠１０４に対して移動自在に配置される電源コード１８８の移動を規制する位置決め部として機能する必要がある。そこで、突出部４００ａ〜４００ｃのそれぞれのタンク底面壁１５０ｄからの高さは、電源コード１８８の移動を規制できるように孔部５００ａ〜５００ｃから突出する規制部４０２ａ〜４０２ｃが設けられる高さが必要である。
【００６３】
本実施の形態では、図８（ｂ）に示すように、内枠１０４の枠状部１０５と球タンク１５０が位置決め状態である場合に、規制部４０２ａ〜４０２ｃで電源コード１８８の移動を規制するだけでなく、電源コード敷設用空間の規制部４０２ａ〜４０２ｃと上部壁部３００とで電源コード１８８を挟持（保持）することができる。
【００６４】
上部通路部材３０２の球タンク受け部左右側面壁３０２ｂ、３０２ｃの締付用雌ネジ３１０、３１２（図４等参照）に球タンク１５０の球タンク左右突起部３２２及び３２４の締付用孔３１４、３１６（図４等参照）を位置合わせして、締付用孔３１４、３１６を介して締付ネジ３０６、３０８（図２参照）と締付用雌ネジ３１０、３１２を締結すると、球タンク１５０を上部通路部材３０２の球タンク受け部裏面壁３０２ａ側に押圧する力が働く。このため、球タンク裏面壁１５０ａから延出した突出部４００ａ〜４００ｃの規制部４０２ａ〜４０２ｃと上部壁部３００との間に電源コード１８８を挟むと、規制部４０２ａ〜４０２ｃから電源コード１８８に押圧力を作用させることができる。これにより、突出部４００ａ〜４００ｃと上部壁部３００との間に確実に電源コード１８８を挟持することができる。
【００６５】
以上説明したように、本実施の形態によるパチンコ機１００は、上部通路部材３０２が固定されて上部壁部３００を有する内枠１０４（第１遊技部材）と、内枠１０４に対して配置される球タンク１５０（第２遊技部材）と、内枠１０４に対して移動自在に配置される電源コード１８８（第３遊技部材）と、内枠１０４と球タンク１５０との相対位置を決めるとともに、電源コード１８８の移動を規制する突出部４００ａ〜４００ｃ及び孔部５００ａ〜５００ｃ（位置決め部）とを有している。
この構成によれば、位置決め部が第３遊技部材の移動規制手段を兼ねているので部品点数を削減することができると共に、スペースを有効活用することができる場合がある。また、部品点数の削減により、コストを低減できる場合がある。また、所定の部材（例えば、電源コード１８８）の移動を確実に規制し、所定の部材の破損を防止できる場合がある。さらに、所定の部材の移動を確実に規制し、所定の部材の接触による他の部品の破損を防止できる場合がある。
【００６６】
また、本実施の形態によるパチンコ機１００は、内枠１０４（第１遊技部材）と球タンク１５０（第２遊技部材）が位置決め状態である場合に、突出部４００ａ〜４００ｃ（第２の位置決め部）と内枠１０４とで電源コード１８８（第３遊技部材）を挟持することを特徴とする。この構成によれば、所定の部材（例えば、電源コード１８８）の移動規制だけでなく、所定の部材を狭持することができる場合がある。
【００６７】
さらに、本実施の形態によるパチンコ機１００は、内枠１０４（第１遊技部材）に球タンク１５０（第２遊技部材）を所定の方向から締結する締付ネジ３０６、３０８、締付用孔３１４、３１６、締付用雌ネジ３１０、３１２（締結部材）を有し、突出部４００ａ〜４００ｃ（第２の位置決め部）と内枠１０４とで電源コード１８８（第３遊技部材）を挟持している場合に、締付ネジ３０６、３０８、締付用孔３１４、３１６、締付用雌ネジ３１０、３１２で内枠１０４に球タンク１５０を締結すると、突出部４００ａ〜４００ｃと内枠１０４と電源コード１８８とは前記所定の方向に隙間なく並んで配置されることを特徴とする。この構成によれば、所定の部材（例えば、電源コード１８８）の移動規制だけでなく、所定の部材を確実に狭持することができる場合がある。
【００６８】
また、本実施の形態によるパチンコ機１００は、孔部５００ａ〜５００ｃ（第１の位置決め部）は孔部を有し、突出部４００ａ〜４００ｃ（第２の位置決め部）は突出部を有し、突出部４００ａ〜４００ｃを孔部５００ａ〜５００ｃに挿通することで、孔部５００ａ〜５００ｃおよび突出部４００ａ〜４００ｃの一方が他方の移動を規制して仮位置決めされ、突出部４００ａ〜４００ｃに設けられ、孔部５００ａ〜５００ｃから突出する規制部４０２ａ〜４０２ｃ（規制部）と、規制部４０２ａ〜４０２ｃに対向する内枠１０４（第１遊技部材）の上部壁部３００（対向部）とで電源コード１８８（第３遊技部材）を挟持することを特徴とする。この構成によれば、第１遊技部材や第２遊技部材などからある程度離れた位置で第３遊技部材の移動も規制できる場合がある。
【００６９】
次に、本実施の形態の変形例について図９を用いて説明する。図９は、図８と同様の本実施の形態によるパチンコ機１００の球タンク１５０と上部通路部材３０２との位置関係を示している。本変形例は突出部４００ａ〜４００ｃの先端端部が断面Ｌ字状になるように爪部４０４ａ〜４０４ｃが形成されている点に特徴を有している。図９に示すように、爪部４０４ａ〜４０４ｃにより電源コード１８８が確実に把持することができる。なお、球タンク１５０を上部通路部材３０２に載置する際に爪部４０４ａ〜４０４ｃが引っ掛からないように、図９（ｂ）に示すように、爪部４０４ａ〜４０４ｃが通過できるように孔部５００ａ〜５００ｃのスリット幅は広げられている。本変形例によるパチンコ機１００は、突出部４００ａ〜４００ｃ（第２の位置決め部）が断面がＬ字状であることを特徴としている。この構成によれば、電源コード１８８（第３遊技部材）を確実に把持することができる場合がある。
【００７０】
本発明は上記実施の形態に限らず種々の変形が可能である。
例えば、上記実施の形態では、６組の突出部４００ａ〜４００ｆと孔部５００ａ〜５００ｆを用いたがこれに限られない。突出部の高さや幅、厚さ等を勘案して６組より多くすることも少なくすることも可能である。
また、本実施の形態では、位置決めは６組の突出部４００ａ〜４００ｆと孔部５００ａ〜５００ｆで行い、電源コード規制は３組の突出部４００ａ〜４００ｃと孔部５００ａ〜５００ｃで行っているがこれに限られない。位置決めも３組の突出部４００ａ〜４００ｃと孔部５００ａ〜５００ｃだけで行うようにしてもよい。
【００７１】
以上説明したように、本実施の形態によれば、位置決め部により所定の部材の移動を規制できるので部品点数を削減できる。
【符号の説明】
【００７２】
１００  パチンコ機
１０４  内枠
１０５  枠状部
１５０  球タンク
１５０ａ  球タンク裏面壁
１５０ｂ  球タンク左側面壁
１５０ｃ  球タンク右側面壁
１５０ｄ  球タンク底面壁
１５０ｅ  球タンク正面壁
１８８  電源コード
３００  上部壁部
３０２  上部通路部材
３０２ａ  球タンク受け部裏面壁
３０２ｂ  球タンク受け部左側面壁
３０２ｃ  球タンク受け部右側面壁
３０２ｄ  球タンク受け部底面壁
３０４  電源コード用通路部材
３０６、３０８  締付ネジ
３１０、３１２  締付用雌ネジ
３１４、３１６  締付用孔
４００ａ、４００ｂ、４００ｃ、４００ｄ、４００ｅ、４００ｆ  突出部
４０２ａ、４０２ｂ、４０２ｃ  規制部
５００ａ、５００ｂ、５００ｃ、５００ｄ、５００ｅ、５００ｆ  孔部
【先行技術文献】
【特許文献】
【００７３】
【特許文献１】特開２００８−２００３０２号公報
【図１】
2011010906.tif 000003
【図２】
2011010906.tif 000004
【図３】
2011010906.tif 000005
【図４】
2011010906.tif 000006
【図５】
2011010906.tif 000007
【図６】
2011010906.tif 000008
【図７】
2011010906.tif 000009
【図８】
2011010906.tif 000010
【図９】
2011010906.tif 000011